(57)【要約】【課題】金属製調理器具を簡単に且つ安定的に支持して保管収納できると共に、取り出しも容易に行われる極めて実用性に優れた調理器具収納装置を提供すること。【解決手段】金属製調理器具１を支持可能な器具支持体４が複数並設状態に設けられている調理器具収納装置Ａにおいて、前記器具支持体４は、前記調理器具１を載置する載置部５と、この載置部５に立設状態に設けられてこの載置部５に載置した調理器具１の載置部位以外の部位を支承する支承部６とから成り、この支承部６に、前記調理器具１に着脱自在に吸磁止着する磁石７が設けられている調理器具収納装置。【選択図】図１
2018075165.tif 000002
【特許請求の範囲】
【請求項１】
金属製調理器具を支持可能な器具支持体が複数並設状態に設けられている調理器具収納装置において、前記器具支持体は、前記調理器具を載置する載置部と、この載置部に立設状態に設けられてこの載置部に載置した調理器具の載置部位以外の部位を支承する支承部とから成り、この支承部に、前記調理器具に着脱自在に吸磁止着する磁石が設けられていることを特徴とする調理器具収納装置。
【請求項２】
容器形の金属製調理器具を収納する調理器具収納装置であって、前記器具支持体は、前記調理器具の周壁部を載置可能な前記載置部と、この載置部に立設状態に設けられてこの載置部に周壁部を載置した調理器具の底壁部を支承する前記支承部とから成ることを特徴とする請求項１記載の調理器具収納装置。
【請求項３】
前記支承部は、前記調理器具の平坦状底壁部を面接支承可能な平坦支承面を備えており、この平坦支承面に、平坦支承面の面方向と直交する方向に着磁方向を有する前記磁石が、平坦支承面と面一状態若しくは埋設状態に設けられていることを特徴とする請求項２記載の調理器具収納装置。
【請求項４】
前記載置部は、前記調理器具の湾曲状周壁部を載置可能な湾曲載置面を備えていることを特徴とする請求項２，３のいずれか１項に記載の調理器具収納装置。
【請求項５】
前記器具支持体は、合成樹脂を用いて前記載置部と前記支承部とが一体成形されていることを特徴とする請求項１〜４のいずれか１項に記載の調理器具収納装置。
【請求項６】
装置本体に前記器具支持体が複数並設状態に設けられている調理器具収納装置であって、前記装置本体にガイドレール部が設けられ、このガイドレール部に沿って複数の前記器具支持体がスライド移動自在に設けられていることを特徴とする請求項１〜５のいずれか１項に記載の調理器具収納装置。
【発明の詳細な説明】
【技術分野】
【０００１】
本発明は、調理器具を複数並べて収納可能な調理器具収納装置に関するものである。
【背景技術】
【０００２】
出願人らは、この種の調理器具収納装置として、特開２０１２−９０７１９号（特許文献１）を提案している。
【０００３】
この特許文献１を簡単に説明すると、装置本体に、周壁部が下になる横置きの状態で鍋やボールなどの調理器具を支持可能な複数の移動支持枠が設けられており、この移動支持枠は、前記装置本体に設けられているガイドレールに沿って水平方向に移動可能に設けられていると共に、小径の調理器具の一部が大径の調理器具内に収容可能となるように配置されているものである。
【先行技術文献】
【特許文献】
【０００４】
【特許文献１】特開２０１２−９０７１９号公報
【発明の概要】
【発明が解決しようとする課題】
【０００５】
本発明は、上記特許文献１のような調理器具収納装置の実用性を更に追求したもので、調理器具を簡単に且つ安定的に支持して保管収納できると共に、取り出しも容易に行われる極めて実用性に優れた調理器具収納装置を提供するものである。
【課題を解決するための手段】
【０００６】
添付図面を参照して本発明の要旨を説明する。
【０００７】
金属製調理器具１を支持可能な器具支持体４が複数並設状態に設けられている調理器具収納装置Ａにおいて、前記器具支持体４は、前記調理器具１を載置する載置部５と、この載置部５に立設状態に設けられてこの載置部５に載置した調理器具１の載置部位以外の部位を支承する支承部６とから成り、この支承部６に、前記調理器具１に着脱自在に吸磁止着する磁石７が設けられていることを特徴とする調理器具収納装置に係るものである。
【０００８】
また、容器形の金属製調理器具１を収納する調理器具収納装置Ａであって、前記器具支持体４は、前記調理器具１の周壁部２を載置可能な前記載置部５と、この載置部５に立設状態に設けられてこの載置部５に周壁部２を載置した調理器具１の底壁部３を支承する前記支承部６とから成ることを特徴とする請求項１記載の調理器具収納装置に係るものである。
【０００９】
また、前記支承部６は、前記調理器具１の平坦状底壁部３を面接支承可能な平坦支承面８を備えており、この平坦支承面８に、平坦支承面８の面方向と直交する方向に着磁方向を有する前記磁石７が、平坦支承面８と面一状態若しくは埋設状態に設けられていることを特徴とする請求項２記載の調理器具収納装置に係るものである。
【００１０】
また、前記載置部５は、前記調理器具１の湾曲状周壁部２を載置可能な湾曲載置面９を備えていることを特徴とする請求項２，３のいずれか１項に記載の調理器具収納装置に係るものである。
【００１１】
また、前記器具支持体４は、合成樹脂を用いて前記載置部５と前記支承部６とが一体成形されていることを特徴とする請求項１〜４のいずれか１項に記載の調理器具収納装置に係るものである。
【００１２】
また、装置本体10に前記器具支持体４が複数並設状態に設けられている調理器具収納装置Ａであって、前記装置本体10にガイドレール部11が設けられ、このガイドレール部11に沿って複数の前記器具支持体４がスライド移動自在に設けられていることを特徴とする請求項１〜５のいずれか１項に記載の調理器具収納装置に係るものである。
【発明の効果】
【００１３】
本発明は上述のように構成したから、複数の器具支持体に、金属製調理器具を載置しつつ吸磁止着して安定的に支持収納でき、器具支持体から調理器具を取り出すことも、磁石の吸磁力に抗する力を加えるだけで容易に可能となる極めて実用性に優れた調理器具収納装置となる。
【００１４】
また、請求項２記載の発明においては、鍋やボールや笊などの容器形の金属製調理器具を安定的に且つ嵩張りにくい横置き状態で効率良く支持収納できる一層実用性に優れた構成の調理器具収納装置となる。
【００１５】
また、請求項３記載の発明においては、平坦支承面に容器形の調理器具の底壁部を面接支承できて、器具支持体に調理器具をガタつかない安定状態に支持でき、しかも、磁石が平坦支承面の面方向と直交する方向に着磁方向を有するため、調理器具を磁石の着磁方向に離反させようとする力に対して強い抵抗力（吸磁力）を発揮して調理器具を安定的に支持できると共に、調理器具の底壁部を支承部の平坦支承面に対しその面方向と直交する方向に動かすことで、調理器具を器具支持体から小さな力で容易に取り外し可能となるなど、一層実用性に優れた構成の調理器具収納装置となる。
【００１６】
また、請求項４記載の発明においては、湾曲状周壁部を有する容器形の調理器具のその周壁部を安定的に載置できる載置部を簡易構成にして容易に設計実現可能となる一層実用性に優れた構成の調理器具収納装置となる。
【００１７】
また、請求項５記載の発明においては、前記作用効果を確実に発揮する器具支持体を簡易構成にして容易に設計実現可能となり、しかも、合成樹脂を一体成形して成るこの器具支持体は、簡易構造であるため洗浄し易く衛生さを保つことが容易に可能であるなど、一層実用性に優れた構成の調理器具収納装置となる。
【００１８】
また、請求項６記載の発明においては、複数の器具支持体を収納する調理器具の大きさ等に応じてスライド移動できて複数の調理器具を効率良く収納可能となる一層実用性に優れた構成の調理器具収納装置となる。
【図面の簡単な説明】
【００１９】
【図１】本実施例を示す斜視図である。
【図２】本実施例の器具支持体を示す拡大斜視図である。
【図３】本実施例に、複数の調理器具（鍋）を支持した状態を示す斜視図である。
【図４】本実施例を示す、正面図である。
【図５】本実施例が引出し内に設けられているキッチンキャビネットを示す斜視図である。
【発明を実施するための形態】
【００２０】
好適と考える本発明の実施形態を、図面に基づいて本発明の作用を示して簡単に説明する。
【００２１】
調理器具収納装置Ａに複数並設状態に設けられている器具支持体４に、金属製調理器具１を支持して収納することができる。
【００２２】
具体的には、調理器具１を器具支持体４の載置部５に載置すると共に、この載置部５に載置した調理器具１の載置部位以外の部位を、前記載置部５に立設状態に設けられている支承部６に支承すると、この支承部６に設けられている磁石７により調理器具１の支承部６に支承されている部位が吸磁止着されて、器具支持体４に調理器具１が安定的に支持されることになる。
【００２３】
また、器具支持体４に支持されている調理器具１は、ユーザーが磁石７の吸磁力に抗する力を加えることで容易に取り出すことが可能である。
【００２４】
また、例えば、容器形の金属製調理器具１を収納する調理器具収納装置Ａであって、前記器具支持体４は、前記調理器具１の周壁部２を載置可能な前記載置部５と、この載置部５に立設状態に設けられてこの載置部５に周壁部２を載置した調理器具１の底壁部３を支承する前記支承部６とから成るものに構成されている場合には、例えば鍋やボールや笊などの容器形の金属製調理器具１を安定的に且つ嵩張りにくい横置き状態で効率良く支持収納可能となる。
【００２５】
具体的には、器具支持体４の載置部５に調理器具１の周壁部２が下になる横置き状態で載置すると共に、この横置き状態の調理器具１の底壁部３を、前記載置部５に立設状態に設けられている支承部６に支承すると、この支承部６に設けられている磁石７により調理器具１の底壁部３が吸磁止着されて、器具支持体４に調理器具１が横置き状態で安定的に支持されることになる。
【００２６】
また、例えば、前記支承部６は、前記調理器具１の平坦状底壁部３を面接支承可能な平坦支承面８を備えており、この平坦支承面８に、平坦支承面８の面方向と直交する方向に着磁方向を有する前記磁石７が、平坦支承面８と面一状態若しくは埋設状態に設けられている場合には、平坦支承面８に対し容器形調理器具１の底壁部３がガタつくことなく面接支承されて、器具支持体４に調理器具１が一層安定的に支持されることになる。
【００２７】
また、器具支持体４に支持されている調理器具１は、平坦支承面８の面方向と直交する方向に着磁方向を有する前記磁石７が、特に調理器具１を磁石７の着磁方向に離反させて取り出そうとする力に対して強い抵抗力（吸磁力）を発揮し、その支持状態が安定的となる。
【００２８】
その一方で磁石７は、着磁方向と直交する方向に吸磁物を動かそうとする力にはさほど大きな抵抗力が働かない特性を有するので、器具支持体４から調理器具１を取り外したい時には、調理器具１の底壁部３を支承部６の平坦支承面８に対しその面方向と直交する方向に動かして（例えば調理器具１の底壁部３を平坦支承面８に対し摺動させて）取り外すようにすると、調理器具１を器具支持体４から小さな力で容易に取り外し可能となる。
【実施例】
【００２９】
本発明の具体的な実施例について図面に基づいて説明する。
【００３０】
本実施例の調理器具収納装置Ａは、装置本体10に、例えば鍋（浅底のフライパンを含む）やボールや笊などの容器形の金属製調理器具１を支持することに適した器具支持体４が複数並設状態に設けられている。尚、図面は、調理器具１として鍋（以下、本実施例では便宜上調理器具１を鍋１と称して説明する。）を採用した場合を図示している。
【００３１】
また、本実施例の装置本体10は、間隔を置いて配設される一対の合成樹脂製基枠部12と、この一対の基枠部12の両端部間に平行に架設される一対の金属製長尺ガイドレール部11とから成る平面視略横長方形枠状体に形成されており（図１参照）、この装置本体10の一対のガイドレール部11に沿って複数の前記器具支持体４がスライド移動自在に設けられている。
【００３２】
また、詳しく図示していないが、ガイドレール部11は、空洞状に形成されて内部に後述するスライド部材14が装着可能に構成されている。
【００３３】
以下、本実施例では、装置本体10のガイドレール部11の対向方向を前後方向とし、ガイドレール部10の長さ方向を左右方向と定めて説明する。
【００３４】
本実施例の器具支持体４は、調理器具１を載置する載置部５と、この載置部５に立設状態に設けられてこの載置部５に載置した調理器具１の載置部位以外の部位を支承する支承部６と、載置部５の下部に設けられて前記装置本体10のガイドレール部11にスライド移動自在に装着される脚部13とから構成されている。
【００３５】
具体的には、前記載置部５と前記支承部６とは、合成樹脂（例えば、ＰＯＭ樹脂）を用いて成形された正面視Ｌ字状をなす板体で構成されており、このＬ字板状成形体の下側横板部が、鍋１の周壁部２を載置する載置部５として構成されていると共に、上側縦板部が、載置部５に周壁部２を載置した鍋１の底壁部３を支承する支承部６として構成されている（図１，図２，図４参照）。即ち、本実施例では、合成樹脂を用いて載置部５と支承部６とが一体成形されている。
【００３６】
また、この載置部５は、図１，図２に示すように、平面視略方形状に成形されていると共に、その上面が鍋１の湾曲状周壁部２の形状に近似する湾曲載置面９（下方に凸となる湾曲面）に成形されていて、この湾曲載置面９上に鍋１の周壁部２を安定的に載置可能に構成されている。本実施例は、この湾曲載置面９の弧の長さ方向が、前記装置本体10の前後方向と合致するようにして（湾曲載置面９の弧の長さ方向の両端部が載置部５の前後端部となるようにして）、器具支持体４が装置本体10に設けられている。
【００３７】
また、支承部６は、前記載置部５の左右方向の一側端部（図面の左側端部）に立設状態に一体成形されていると共に、側面視で略逆Ｕ字形の外形状に成形され、さらに前記湾曲載置面９側の板面が、鍋１の平坦状底壁部３の形状に同調する平坦支承面８に成形されていて、この平坦支承面８側に向けて前記湾曲載置面９に周壁部２を載置した鍋１の底壁部３を、この平坦支承面８に面接支承可能に構成されている（図１，図２，図４参照）。
【００３８】
前記脚部13は、図２に示すように、Ｌ字状に折曲された金属製の板材で構成され、この脚部13の上側縦板部分の上端部に、前記載置部５の左右方向の他端部（図面の右側端部）に一体成形により垂設されている垂下取付部15が取付固定されて、脚部13の下側横板部分が載置部５の下方に載置部５と略平行関係で配設するように構成されている。
【００３９】
また、この脚部13を構成するＬ字状板材の下側横板部分の両端部（前後両端部）の上下面には、前記ガイドレール部11内に収納配設可能な帯板状であってこの下側横板部分の前後両端縁より長さのある帯板状のスライド部材14が、この下側横板部分の前後両端縁に沿って重合固定され（脚部13の下側横板部分の両端部（前後両端部）に、左右方向に長さを有するスライド部材14が設けられ）、このスライド部材14の長さ方向（左右方向）の両端部にガイドレール部11内を走行可能なローラ16が回転可能に軸支されて構成されている。
【００４０】
即ち、この脚部13の前後に設けられているローラ16付スライド部材14が、前記ガイドレール部11内に収納状態に装着されることにより、一対のガイドレール部11に沿って複数（図面は四体）の前記器具支持体４がスライド移動自在に設けられている。
【００４１】
本実施例は、前記支承部６に、鍋１の底壁部３を着脱自在に吸磁止着する磁石７が設けられている。
【００４２】
具体的には、支承部６の前記平坦支承面８に、この平坦支承面８の面方向と直交する方向に着磁方向を有する円板状の前記磁石７が、平坦支承面８と面一状態で表出するようにして設けられている。尚、磁石７は、平坦支承面８から表出せずに埋設状態に設けられていても良い（平坦支承面８に支承した鍋１の底壁部３に対して磁石７の吸磁力が作用すれば良い。）。
【００４３】
また、この磁石７は、前記平坦支承面８の上部と下部前後の合計三箇所に設けられており、小型の磁石７を採用した場合や磁力の弱い磁石７を採用した場合であっても、この複数の磁石７により鍋１底壁部３への良好な吸磁力が発揮されるように構成されている。尚、平坦支承面８に一体の大型磁石７が設けられる構成を採用しても良い。
【００４４】
従って、器具支持体４の載置部５に鍋１の周壁部２が下になる横置き状態で載置すると共に、この横置き状態の鍋１の底壁部３を、前記載置部５に立設状態に設けられている支承部６に支承すると、この支承部６に設けられている磁石７により鍋１の底壁部３が吸磁止着されて、器具支持体４に鍋１が横置き状態で安定的に支持されるように構成されており、器具支持体４から鍋１を取り外したい時には、鍋１の底壁部３を支承部６の平坦支承面８に対しその面方向と直交する方向に動かして（例えば鍋１の底壁部３を平坦支承面８に対し摺動させて）取り外すようにすると、磁石７は、着磁方向と直交する方向に吸磁物を動かそうとする力にはさほど大きな抵抗力が働かない特性を有するので、鍋１を器具支持体４から小さな力で取り外すことが可能である。
【００４５】
尚、図示していないが、例えば、金属製の調理用レードルの掬い部を載置部５に載置し、柄部を支承部６に吸磁支承するなどして、器具支持体４に容器形の調理器具１以外の金属製調理器具１を収納することも可能である。
【００４６】
また、本実施例の前記装置本体10について更に詳しく説明すると、前記基枠部12は、側面視で略三角形状をなす立設壁17の下部前後に、前記ガイドレール部11を連結するための連結筒18が一体成形された構成とされており、この立設壁17に鍋１の底壁部３や図示省略の鍋蓋の表裏面を支承しつつ前後の連結筒18上に鍋１の周壁部２や鍋蓋の外周縁部を載置することにより、この基枠部12上にも鍋１や鍋蓋を支持して収納できるように構成されている。
【００４７】
また、図面は、この基枠部12の立設壁17にも磁石７が設けられていて、この磁石７で鍋１の底壁部３や他の金属製調理器具を吸磁止着できるように構成されている。
【００４８】
また、図面の調理器具収納装置Ａは、複数の器具支持体４が、装置本体10の一側（図面右側）に存するものほど高さのある前記脚部13を具備するように構成されており、外径の小さい鍋１を高い脚部13を具備する一側（右側）の器具支持体４に支持し、これより外径の大きい鍋１は、大きいものほど低い脚部13を具備する他側（左側）の器具支持体４に支持することにより、径の小さい鍋１と径の大きい鍋１とを略同心の関係で支持することが可能となり、この支持状態で隣接する鍋１（器具支持体４）同士を接近スライド移動することにより、径の小さい鍋１が径の大きい鍋１内にネスティングされて収納空間をコンパクト化できるように構成されている（図２，図３参照）。
【００４９】
また、図５は、上記のように構成した本実施例の調理器具収納装置Ａを、キッチンキャビネットＣの引出し19内に設けた使用状態を示している。
【００５０】
尚、本発明は、本実施例に限られるものではなく、各構成要件の具体的構成は適宜設計し得るものである。
【符号の説明】
【００５１】
１  調理器具
２  周壁部
３  底壁部
４  器具支持体
５  載置部
６  支承部
７  磁石
８  平坦支承面
９  湾曲載置面
10  装置本体
11  ガイドレール部
Ａ  調理器具収納装置
【図１】
2018075165.tif 000003
【図２】
2018075165.tif 000004
【図３】
2018075165.tif 000005
【図４】
2018075165.tif 000006
【図５】
2018075165.tif 000007